(57)【要約】【課題】本発明は、鉄粉などの磁性粉塵を吸着して除去することのできるエアーフィルター及びこれを具えたモーターを提供する。【解決手段】本発明のエアーフィルター１０は、電気機器の空気取込口３２に配置されるエアーフィルターであって、前記空気取込口を通過する空気流４０を挟むように対向配置された永久磁石１５，１５と、前記永久磁石間に配置され、磁性材料からなる細線１３から構成される磁性フィルター１２と、を具える。【選択図】図１
2019209298.tif 000002
【特許請求の範囲】
【請求項１】
電気機器の空気取込口に配置されるエアーフィルターであって、
前記空気取込口を通過する空気流を挟むように対向配置された永久磁石と、
前記永久磁石間に配置され、磁性材料からなる細線から構成される磁性フィルターと、
を具える、エアーフィルター。
【請求項２】
前記細線は、強磁性材料からなる、
請求項１に記載のエアーフィルター。
【請求項３】
前記細線は、スチールウールである、
請求項１又は請求項２に記載のエアーフィルター。
【請求項４】
前記磁性フィルターを空気流方向に挟む非磁性材料からなる一対の非磁性メッシュを具える、
請求項１乃至請求項３の何れかに記載のエアーフィルター。
【請求項５】
請求項１乃至請求項４の何れかに記載のエアーフィルターを、空気取込口に配置したモーター。
【請求項６】
エレベーターの巻上機である、
請求項５に記載のモーター。
【発明の詳細な説明】
【技術分野】
【０００１】
本発明は、鉄粉などの磁性粉塵を吸着して除去することのできるエアーフィルターに関するものであり、とくにエレベーターの巻上機に用いられるモーターに好適なエアーフィルターに関するものである。
【背景技術】
【０００２】
モーターなどの電気機器を小型化するには、電気機器から発生する熱を効率的に放出する構造が必須となる。放熱のために、冷却ファンを搭載した電気機器もあるが、電気機器に空気流と共に粉塵が流入してしまうことを防止する必要があり、特許文献１では、冷却ファンに不織布の如きフィルターを被せている。こうした場合、微細な鉄粉などの粉塵を除去するために目の細かいフィルターを用いるので、冷却風量低下を補うために、風量の大きい冷却ファンを使用する必要がある。
【先行技術文献】
【特許文献】
【０００３】
【特許文献１】特開２００４−０１０２８６号公報
【発明の概要】
【発明が解決しようとする課題】
【０００４】
エレベーターの巻上機に用いられるＰＭモーターなどのようにローターやステーターに永久磁石を採用した電気機器では、粉塵のうち、とくに鉄粉など磁性粉塵が流入すると、磁極にこれら磁性粉塵が吸着してしまい、ローターとステーターの接触の虞、また、巻線などの傷付きの虞がある。
【０００５】
本発明の目的は、鉄粉などの磁性粉塵を吸着して除去することのできるエアーフィルター及びこれを具えたモーターを提供することである。
【課題を解決するための手段】
【０００６】
本発明のエアーフィルターは、
電気機器の空気取込口に配置されるエアーフィルターであって、
前記空気取込口を通過する空気流を挟むように対向配置された永久磁石と、
前記永久磁石間に配置され、磁性材料からなる細線から構成される磁性フィルターと、
を具える。
【０００７】
前記細線は、強磁性材料からなる。
【０００８】
前記細線は、スチールウールとすることができる。
【０００９】
前記磁性フィルターを空気流方向に挟む非磁性材料からなる一対の非磁性メッシュを具える。
【００１０】
また、本発明のモーターは、
上記エアーフィルターを空気取込口に配置して構成される。
【００１１】
モーターは、エレベーターの巻上機とすることができる。
【発明の効果】
【００１２】
本発明のエアーフィルターによれば、磁石により磁性フィルターが磁化され、空気流に含まれる磁性粉塵を磁性フィルターに吸着させることができる。本発明のエアーフィルターは、モーター、とくにエレベーターの巻上機用のモーターへの使用に好適である。
【図面の簡単な説明】
【００１３】
【図１】図１は、本発明の一実施形態に係るエアーフィルターを装着したエレベーターの巻上機用モーターの要部拡大図である。
【図２】図２は、エアーフィルターの平面図である。
【図３】図３は、本発明の他の実施形態を示すエアーフィルターの平面図である。
【発明を実施するための形態】
【００１４】
図面を参照しながら本発明の実施の形態について説明する。なお、以下では、エアーフィルター１０は、エレベーターの巻上機用モーター３０に装着した実施形態について説明するが、エアーフィルター１０の装着される機器は、これに限定されるものではない。
【００１５】
図１は、本発明の一実施形態に係るエアーフィルター１０を装着したエレベーターの巻上機用モーター３０の要部拡大図、図２は、エアーフィルター１０の平面図であって非磁性メッシュ１９を取り外した状態を示している。図１に示すように、モーター３０には空気取込口３２が設けられており、空気取込口３２に装着されたファン２０を回転させることで、モーター３０内に冷却用の空気流４０が流入する。ファン２０の上流側には、エアーフィルター１０が配備される。
【００１６】
エアーフィルター１０は、空気取込口３２に装着されるフレーム１７に、対をなして所定間隔で配置された磁石１５，１５と、磁石１５，１５間に挿入される磁性フィルター１２を具え、フレーム１７には、空気流方向に沿って磁性フィルター１２を挟むように非磁性メッシュ１９が配置されている。
【００１７】
フレーム１７は、図示の実施形態では矩形であり、アルミニウムや樹脂などの非磁性材料から形成される。フレーム１７に磁性体を採用すると、磁石１５からの磁力線５０がフレーム１７に集中してしまい、磁性フィルター１２を通過する磁力線５０が減少し、後述する磁性粉塵６０の吸着能が低下する。そこで、フレーム１７を非磁性体で構成することにより、磁石１５からの磁力線５０を、空気流４０の通過する磁性フィルター１２の設置された磁気抵抗の小さいフレーム１７内に集中させるようにしている。
【００１８】
磁石１５，１５は、これらの間を空気流４０が通過可能となるように、互いに間隔を存してフレーム１７に装着されており、図に、各磁石１５，１５の磁極から他方の磁石の磁極に向かう磁力線５０を含む磁界が形成される。磁石１５，１５は、磁力線５０が密に形成されるようにＮ極とＳ極が対向するよう配置することが望ましい。なお、磁石１５，１５は、フェライト磁石、ネオジム磁石などの希土類磁石、電磁石を例示することができる。この中で、磁性フィルター１２により強い磁化作用を付与するために、磁石１５，１５は、希土類磁石、電磁石が好適であり、構成の簡略化を図るにはフェライト磁石や希土類磁石などの磁力の強い永久磁石とすることが望ましい。
【００１９】
磁性フィルター１２は、磁性材料からなる細線１３をスチールウールの如く纏めて形成される。細線１３は、鉄などの磁性材料、とくに強磁性材料を採用することが好適であり、ワイヤー状のもの、削り屑などの形態のものを用いることができる。
【００２０】
非磁性メッシュ１９は、磁性フィルター１２をフレーム１７内に保持する。非磁性メッシュ１９は、アルミニウムや樹脂などの非磁性材料から形成することができ、網目状の形態とすることができる。非磁性メッシュ１９は、磁性フィルター１２が脱落しない程度の目の粗さを具備する構成とすることで、目詰りを抑えて通気性を良好に確保することができる。
【００２１】
上記構成のエアーフィルター１０は、フレーム１７内に磁石１５，１５、磁石１５，１５間に磁性フィルター１２を挿入し、非磁性メッシュ１９で磁性フィルター１２が脱落等しないように保持することにより形成することができる。そして、エアーフィルター１０は、モーター３０の空気取込口３２に載置されたファン２０に装着される。
【００２２】
エアーフィルター１０は、磁石１５，１５に生じる磁力線５０により、磁性フィルター１２の細線１３が磁化される。この状態で、ファン２０を駆動することにより、エアーフィルター１０から空気取込口３２を通じてモーター３０内に空気流４０が流入し、モーター３０が冷却される。このとき、空気流４０に含まれる鉄粉などの磁性粉塵６０が磁化された細線１３に吸着する。
【００２３】
モーター３０として、ローターに永久磁石を採用したＰＭモーターや、ステーターに永久磁石を採用したＤＣモーターでは、もちろん、埃などの非磁性粉塵の流入も望まれないが、鉄粉などの磁性粉塵６０が流入すると、永久磁石に磁性粉塵６０が吸着し、巻線などを傷付ける虞がある。このため、本発明では、エアーフィルター１０によって非磁性粉塵の通過は許容するが、磁性粉塵６０を磁性フィルター１２に吸着させることで、モーター３０内への磁性粉塵６０の流入を抑制することができる。
【００２４】
本発明のエアーフィルター１０は、エレベーターに用いられる巻上機用モーター３０に装着して使用することが特に好適である。巻上機用モーター３０は、エレベーターのシャフトの最上部等の機械室に配置され、当該空間には、シーブやロープなどから磁性粉塵６０が発生する虞があり、これら磁性粉塵６０をモーター３０が吸引してしまうことを阻止するためである。
【００２５】
なお、エアーフィルター１０は、磁性粉塵６０による目詰りを防止するために、定期的に交換する必要があるが、この場合、非磁性メッシュ１９を着脱可能な構成とすることで、磁性フィルター１２のみを交換することでランニングコストの低減等を達成することができる。また、磁性フィルター１２を脱磁することで磁性粉塵６０を除去して、磁性フィルター１２を再利用することもできる。
【００２６】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００２７】
たとえば、図３は、本発明のエアーフィルター１０の他の実施形態を示す平面図である。本実施形態では、磁性フィルター１２に効果的に磁力線５０を通過させるため、磁石１５，１５を密に配置している。
【００２８】
また、エアーフィルター１０は、空気流４０に沿う方向に長い形状とし、当該長手方向に沿って磁石１５，１５を複数配置、又は、長手方向に長く形成された磁石１５，１５を配置することで、空気流４０のエアーフィルター１０における滞在時間を長くすることができ、より効果的に磁性粉塵６０を磁性フィルター１２に吸着させることができる。
【符号の説明】
【００２９】
１０  エアーフィルター
１２  磁性フィルター
１３  細線
１５  磁石
２０  ファン
３０  モーター
【図１】
2019209298.tif 000003
【図２】
2019209298.tif 000004
【図３】
2019209298.tif 000005